【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】  下記を具備する、無線通信システムのチャネルにデータを送信するための方法：
データペイロードを複数のサブパケットにパッケージ化する；
所定の遅延に従って前記複数のサブパケットの第１の部分をシーケンシャルに送信する；および
レイリーフェージング包絡線の、しきい値を介して決定されるピークにおいて、前記複数のサブパケットの第２の部分をシーケンシャルに送信する。
【請求項２】  前記複数のサブパケットの前記第２の部分の各サブパケットは前記第１の部分内のサブパケットと異なるサイズを有する、請求項１の方法。
【請求項３】  下記を具備する無線通信システムのチャネルにデータを送信するための方法：
データペイロードを複数のサブパケットにパッケージ化する；
チャネル条件に従って、前記複数のサブパケットの第１の部分をシーケンシャルに送信する；および
レイリーフェージング包絡線の、しきい値を介して決定されるピークにおいて、前記複数のサブパケットの第２の部分をシーケンシャルに送信する。
【請求項４】  前記複数のサブパケットの前記第２の部分の各サブパケットは前記第１の部分内の前記サブパケットと異なるサイズを有する、請求項３の方法。
【請求項５】  下記を具備する、無線通信システムのチャネルにデータを送信するための方法：
データペイロードを複数のサブパケットにパッケージ化する、前記データペイロードは、遠隔局に向けられている；
前記遠隔局の速度決定を実行する；
前記遠隔局の速度が遅い又は静止しているなら、チャネル条件に従って、前記複数のサブパケットをシーケンシャルに送信し；および
前記遠隔局の速度が遅くもなく、静止もしてなければ、所定の遅延に従って、前記複数のサブパケットをシーケンシャルに送信する。
【請求項６】  請求項５記載の方法において、前記遠隔局の速度決定を更新するステップをさらに具備し、
前記遠隔局の前記更新された速度が遅いまたは静止しているからの変化を示すなら、所定の遅延に従って、前記複数のサブパケットの残りの部分を送信し；および
前記遠隔局の前記更新された速度が遅くもなく、静止でもないからの変化を示すなら、チャネル条件に従って、前記複数のサブパケットの残りの部分を送信する。
【請求項７】  下記を具備する、無線通信システムのチャネルにデータを送信するための方法：
データペイロードを複数の冗長なサブパケットに再パッケージ化する；
第１のサブパケットを遠隔局に送信する、前記第１のサブパケットはプリアンブルを含む；
アクノレジメントメッセージが受信されないなら、所定の時間遅延において、第２のサブパケットを前記遠隔局に送信する、前記第２のサブパケットはプリアンブルを含まない；および
前記第２のサブパケットのためのアクノレジメントメッセージが受信されないなら、アクノレジメントメッセージが受信されるまで、チャネル条件に従って、前記複数の冗長なサブパケットの残りの部分を送信する、前記複数の冗長なサブパケットの残りの部分はプリアンブルを含む。
【請求項８】  前記複数の冗長なサブパケットの残りの部分は複数のより大きなサブパケットに再パッケージ化される、請求項７の方法。
【請求項９】  下記を具備する、無線通信システムのチャネルにデータを送信するための方法：
データペイロードを複数のサブパケットにパッケージ化する；
第１のサブパケットを遠隔局に送信する；
チャネル条件が最適なら、前記複数のサブパケットの残りの部分を前記遠隔局に送信する；および
前記チャネル条件が、所定の時間期間内において最適でないなら、好ましくないチャネル条件期間に前記複数のサブパケットの残りの部分を送信する。
【請求項１０】  前記チャネル条件が最適でないなら、前記複数のサブパケットの前記残りの部分を送信するステップは、第２の遠隔局への新しい送信よりも高い優先度が与えられる、請求項９の方法。
【請求項１１】  前記複数のサブパケットの残りの部分はサイズを変更される、請求項９の方法。
【請求項１２】  下記を具備する、無線通信システムのチャネルにデータを送信するための装置：
データペイロードを複数のサブパケットにパッケージ化する手段；
所定の遅延に従って前記複数のサブパケットの第１の部分をシーケンシャルに送信するかまたはチャネル条件に従って前記複数のサブパケットの第２の部分をシーケンシャルに送信するかを判断する手段であり、この手段は、チャネル条件が好ましいかを判断するためにレイリーフェージング包絡線を用い、もしもレイリーフェージング包絡線が所定のしきい値より上なら、前記チャネル条件は好ましい。
【請求項１３】  前記複数のサブパケットの前記第２の部分の各サブパケットは、前記第１の部分内の前記サブパケットと異なるサイズを有する、請求項１２の装置。
【請求項１４】  下記を具備する、無線通信システムのチャネルにデータを送信するための装置：
データペイロードを複数のサブパケットにパッケージ化する手段；
チャネル条件に従って、前記複数のサブパケットの第１の部分をシーケンシャルに送信するか、または所定の遅延に従って、前記複数のサブパケットの第２の領域をシーケンシャルに送信するかを判断する手段であり、この手段は、チャネル条件が好ましいかを判断するためにレイリーフェージング包絡線を用い、もしもレイリーフェージング包絡線が所定のしきい値より上なら、前記チャネル条件は好ましい。
【請求項１５】  前記複数のサブパケットの前記第２の部分の各サブパケットは前記第１の部分内の前記サブパケットと異なるサイズを有する、請求項１４の装置。
【請求項１６】  下記を具備する、無線通信システムのチャネルにデータを送信するための装置：
データペイロードを複数のサブパケットにパッケージ化する手段、前記データペイロードは遠隔局に向けられている；
前記遠隔局の速度決定を実行する手段；および
前記複数のサブパケットおよび前記遠隔局の速度決定を受信し、さらに、
前記遠隔局の速度が遅いまたは静止しているなら、チャネル条件に従って、前記複数のサブパケットをシーケンシャルに送信し；および
前記遠隔局の速度が遅くもなく静止もしてなければ、所定の遅延に従って前記複数のサブパケットをシーケンシャルに送信する。
【請求項１７】  前記速度決定を実行する手段は、さらに更新された速度推定を供給する、請求項１６の装置。
【請求項１８】  下記を具備する、無線通信システムのチャネルにデータを送信するための装置：
データペイロードを複数の冗長なサブパケットに再パッケージ化する手段；
前記複数の冗長なサブパケットを受信し、第１のサブパケットを遠隔局に送信する手段、前記第１のサブパケットはプリアンブルを含む；および
アクノレジメントメッセージが受信されないなら、所定の時間遅延において第２のサブパケットを前記遠隔局に送信し、前記第２のサブパケットはプリアンブルを含まない；および
前記第２のサブパケットのためのアクノレジメントメッセージが受信されないなら、アクノレジメントメッセージが受信されるまで、チャネル条件に従って前記複数の冗長なサブパケットの残りの部分を送信し、前記複数の冗長なサブパケットの残りの部分の各々はプリアンブルを含む。
【請求項１９】  前記データペイロードを再パッケージ化する手段は、また前記複数の冗長なサブパケットを複数のより大きなサブパケットに再パッケージ化することができる、請求項１８の装置。
【請求項２０】  下記を具備する、無線通信システムのチャネルにデータを送信するための装置：
データペイロードを複数のサブパケットにパッケージ化する手段；
複数のサブパケットを遠隔局に送信する手段；
複数のサブパケットを送信するための手段が第１のサブパケットを送信した後に、
チャネル条件が最適なら、好ましくないチャネル条件期間に前記複数のサブパケットの残りの部分を送信し、
チャネル条件が所定の期間内で最適でないなら、好ましくないチャネル条件期間に前記複数のサブパケットの残りの部分を送信するように判断する手段。
【請求項２１】  前記判断する手段は、第２の遠隔局への新しい送信よりも前記複数のサブパケットの残りの部分により高い優先度が付与されるように構成される、請求項２０の装置。
【手続補正２】
【補正対象書類名】明細書
【補正対象項目名】０００８
【補正方法】変更
【補正の内容】
【０００８】
音声トラヒックサービスとデータトラヒックサービスとの間の重要な相違点は前者が厳しい最大遅延要件を課すという事実である。典型的には、音声トラヒックフレームの全体の一方向の遅延は１００ｍｓｅｃ未満でなければならない。それにひきかえ、データトラヒックフレームの遅延は、データ通信システムの効率を最適化するために変化することを認めることができる。特に、音声トラヒックサービスにより許容できる遅延よりも極めて大きな遅延を必要とする、より効率的なエラー訂正符号化技術を利用することができる。データのための例示効率符号化方式は、この発明の譲受人に譲渡され、参照することによりここに組み込まれる、１９９６年１１月６日に出願された米国特許第５，９３３，４６２号（発明の名称：「畳み込み符号化暗示語句を復号するためのソフト判定出力デコーダ」）に開示されている。
【手続補正３】
【補正対象書類名】明細書
【補正対象項目名】００３７
【補正方法】変更
【補正の内容】
【００３７】
遠隔局が再送信を検出することを可能にするもうひとつの方法は、すべての送信されるサブパケットにプリアンブルを付加し、次に、そのサブパケットを最適なチャネル条件期間に送信することである。最適なチャネル条件は、遠隔局により送信された情報を介して基地局において決定することができる。最適なチャネル条件は、データリクエストメッセージ（ＤＲＣ）によって、または、動作の過程において、基地局に遠隔局により送信される電力強度測定メッセージ（ＰＳＭＭ）により運ばれるチャネル状態情報を介して決定することができる。チャネル状態情報は種々の方法で送信することができ、この発明の主題ではない。そのような方法は、この発明の譲受人に譲渡され、参照することによりここに組み込まれる、１９９７年９月１６日に出願された米国特許第６，７３３，８０９号（発明の名称：「通信システムのためのチャネル構造」）に記載されている。チャネル最適条件の１つの目安は他の遠隔局による干渉の量である。最適チャネル条件の他の目安はレイリーフェージング条件である。
【手続補正４】
【補正対象書類名】明細書
【補正対象項目名】００４４
【補正方法】変更
【補正の内容】
【００４４】
第１の例示実施の形態の第１の観点において、参照することによりここに組み込まれ、この発明の譲受人に譲渡された、２０００年３月３日に出願された米国特許第６，５６４，０４２号（発明の名称：「速度推定に基づいた利得テーブル」）に記載された速度推定を用いて、遠隔局の速度を決定することができる。一般的な観察は、高速に衰えていく条件の瞬間に受信されたパイロット電力は利得電力レベルしきい値をより高速に横切るであろうことである。包絡線レベルの交差レート（ＬＣＲ）は秒あたり、所定レベル、Ｒ、を横切る正の交差の平均数として定義される。一実施の形態の１つの実現において、レベル交差速度推定技術は、ゼロ交差レート（ＺＣＲ）を用いた信号の同相（Ｉ）成分または直交（Ｑ）成分に適用される。
【手続補正５】
【補正対象書類名】明細書
【補正対象項目名】００６９
【補正方法】変更
【補正の内容】
【００６９】
ステップ１１０において、基地局は遠隔局への送信のためのデータトラヒックを受信する。米国特許第５，９３３，４６２号に記載される符号化方式のような効率的な符号化方式に従って、データペイロードは複数のサブパケットに重複してパックされ、これらのサブパケットはシーケンシャルに遠隔局に送信される。
【手続補正６】
【補正対象書類名】明細書
【補正対象項目名】００７５
【補正方法】変更
【補正の内容】
【００７５】
データトラヒックを送信するための第６の例示実施の形態は基地局のスケジューラー装置を用いて、現在の局への再送信と新しい局への新しい送信との間に優先度を設定することである。図１３は第６の例示実施の形態を図解する。ステップ１３０において、基地局は第１の遠隔局への送信のためのデータトラヒックペイロードを受信し、データトラヒックペイロードを冗長なサブパケットに再パッケージ化する。ステップ１３１において、第１の遠隔局が強い信号を受信するであろう時刻に、基地局は第１の遠隔局に対して少なくとも１つのサブパケットを送信する。ステップ１３４にアクノレジメントが到着していないなら、基地局は第２の遠隔局へ送信するためのデータトラヒックペイロードを受信し、データトラヒックペイロードを冗長なサブパケットに再パッケージ化する。ステップ１３３において、第２の遠隔局への送信を開始するか、第１の遠隔局へ再送信するか判断する。もしもステップ１３４においてアクノレジメントが到着していないのであれば、このステップにおいて、基地局内のスケジューラー装置は、ポイントｘ（ｔ）において、第２の遠隔局への送信および第１の遠隔局への再送信に重要度の相対的重みを割当てる。第１の遠隔局への送信のときから、長い遅延がｘ（ｔ）において生じたなら、基地局は、第２の遠隔局に新しい送信を送信するよりはむしろ第１の遠隔局に再送信する。